(57)【要約】【課題】サーチ時間の短縮と受信不可能な放送局の削除とを両立できる放送局リスト更新技術を提供する。【解決手段】放送受信機は、所定の周波数帯域内をスキャンして受信可能な放送局をサーチするサーチ部と、前記受信可能な放送局のリストを作成するリスト作成部と、を備える。前記リスト作成部は、前記スキャンの際に既に前記リストにある第１デジタル放送局に対応する周波数に受信可能な第２デジタル放送局が存在する場合には、前記第２デジタル放送局の放送局情報の取得を省略して、前記リストにある前記第１デジタル放送局の放送局情報を継続して採用する。【選択図】図１
2020021975.tif 000002
【特許請求の範囲】
【請求項１】
所定の周波数帯域内をスキャンして受信可能な放送局をサーチするサーチ部と、
前記受信可能な放送局のリストを作成するリスト作成部と、
を備え、
前記リスト作成部は、前記スキャンの際に既に前記リストにある第１デジタル放送局に対応する周波数に受信可能な第２デジタル放送局が存在する場合には、前記第２デジタル放送局の放送局情報の取得を省略して、前記リストにある前記第１デジタル放送局の放送局情報を継続して採用する、放送受信機。
【請求項２】
前記リスト作成部は、前記スキャンの際に既に前記リストにある前記第１デジタル放送局に対応する周波数に受信可能な前記第２デジタル放送局が存在しない場合には、前記リストから前記第１デジタル放送局を削除する、請求項１に記載の放送受信機。
【請求項３】
前記リスト作成部は、前記スキャンの際に既に前記リストにある前記第１デジタル放送局に対応する周波数に受信可能な前記第２デジタル放送局が存在する場合であっても、前記第２デジタル放送局のＩＤが前記リストにある前記第１デジタル放送局のＩＤと一致しなければ、前記取得を省略しない、請求項１又は請求項２に記載の放送受信機。
【請求項４】
前記リスト作成部は、前記第２デジタル放送局のＩＤが前記リストにある前記第１デジタル放送局のＩＤと一致しているか否かを前回確認した時点からの経過時間が第１所定時間を超えていなければ、前記第２デジタル放送局のＩＤが前記リストにある前記第１デジタル放送局のＩＤと一致しているか否かを判定しない、請求項３に記載の放送受信機。
【請求項５】
前記リスト作成部は、前記スキャンの際に既に前記リストにある前記第１デジタル放送局に対応する周波数に受信可能な前記第２デジタル放送局が存在する場合であっても、前記第１デジタル放送局の放送局情報を取得した時点からの経過時間が第２所定時間を超えていれば、前記取得を省略しない、請求項１〜４のいずれか一項に記載の放送受信機。
【請求項６】
前記リスト作成部は、前記スキャンの際に既に前記リストにある前記第１デジタル放送局に対応する周波数に受信可能な前記第２デジタル放送局が存在する場合であっても、前記第１デジタル放送局の放送局情報を取得した時点からの経過時間が第２所定時間を超えていれば、前記取得を省略せず、
前記第１所定時間と前記第２所定時間とは互いに異なる、請求項４に記載の放送受信機。
【請求項７】
所定の周波数帯域内をスキャンして受信可能な放送局をサーチするサーチ工程と、
前記受信可能な放送局のリストを作成するリスト作成工程と、
を備え、
前記リスト作成工程は、前記スキャンの際に既に前記リストにある第１デジタル放送局に対応する周波数に受信可能な第２デジタル放送局が存在する場合には、前記第２デジタル放送局の放送局情報の取得を省略して、前記リストにある前記第１デジタル放送局の放送局情報を継続して採用する、放送局リスト更新方法。
【発明の詳細な説明】
【技術分野】
【０００１】
本発明は、放送局リストの更新技術に関する。
【背景技術】
【０００２】
通常、放送受信機は放送局リスト表示機能を有する。放送局リスト表示機能は、受信周波数帯域の全域をサーチして、受信可能な放送局をリスト化して表示する機能である。
【０００３】
デジタル放送を受信する放送受信機の放送局リスト表示機能では、デジタルの放送局情報が取得され、その取得した情報が放送局リストに含められる。しかしながら、デジタルの放送局情報はデコードをする必要があるため、デジタルの放送局情報を含む放送局リストの作成には長い時間がかかる。
【０００４】
特に放送を受信するチューナと同じチューナを用いて放送局リストを作成する構成の放送受信機である場合、放送局リストの作成中にユーザが放送番組を楽しむことができない。したがって、放送局リストの作成時間は短いことが望ましい。
【先行技術文献】
【特許文献】
【０００５】
【特許文献１】特開２００８−１０９６９４号公報
【発明の概要】
【発明が解決しようとする課題】
【０００６】
そこで、特許文献１で開示されているデジタル放送受信機は、サーチを行い放送波の受信に成功した放送局を選局成功リストに記録するようにして、過去に選局成功した放送局をスキップし、新しく同調できる放送局のみを選局動作の対象とすることで、放送局リストを更新する際のサーチ時間を短縮している。
【０００７】
しかしながら、例えば特許文献１で開示されているデジタル放送受信機が移動体に搭載されている場合、選局成功リストに記録されている放送局の受信可能エリアから移動体が出てしまっている状態で放送局リストを更新しても、受信不可能な放送局が放送局リストに残ってしまうという問題が発生する。
【０００８】
本発明は、上記課題に鑑みて、サーチ時間の短縮と受信不可能な放送局の削除とを両立できる放送局リスト更新技術を提供することを目的とする。
【課題を解決するための手段】
【０００９】
本発明の放送受信機は、所定の周波数帯域内をスキャンして受信可能な放送局をサーチするサーチ部と、前記受信可能な放送局のリストを作成するリスト作成部と、を備え、前記リスト作成部は、前記スキャンの際に既に前記リストにある第１デジタル放送局に対応する周波数に受信可能な第２デジタル放送局が存在する場合には、前記第２デジタル放送局の放送局情報の取得を省略して、前記リストにある前記第１デジタル放送局の放送局情報を継続して採用する構成（第１の構成）である。
【００１０】
上記第１の構成の放送受信機において、前記リスト作成部は、前記スキャンの際に既に前記リストにある前記第１デジタル放送局に対応する周波数に受信可能な前記第２デジタル放送局が存在しない場合には、前記リストから前記第１デジタル放送局を削除する構成（第２の構成）であってもよい。
【００１１】
上記第１又は第２の構成の放送受信機において、前記リスト作成部は、前記スキャンの際に既に前記リストにある前記第１デジタル放送局に対応する周波数に受信可能な前記第２デジタル放送局が存在する場合であっても、前記第２デジタル放送局のＩＤ（identification）が前記リストにある前記第１デジタル放送局のＩＤと一致しなければ、前記取得を省略しない構成（第３の構成）であってもよい。
【００１２】
上記第３の構成の放送受信機において、前記リスト作成部は、前記第２デジタル放送局のＩＤが前記リストにある前記第１デジタル放送局のＩＤと一致しているか否かを前回確認した時点からの経過時間が第１所定時間を超えていなければ、前記第２デジタル放送局のＩＤが前記リストにある前記第１デジタル放送局のＩＤと一致しているか否かを判定しない構成（第４の構成）であってもよい。
【００１３】
上記第１〜第４いずれかの構成の放送受信機において、前記リスト作成部は、前記スキャンの際に既に前記リストにある前記第１デジタル放送局に対応する周波数に受信可能な前記第２デジタル放送局が存在する場合であっても、前記第１デジタル放送局の放送局情報を取得した時点からの経過時間が第２所定時間を超えていれば、前記取得を省略しない構成（第５の構成）であってもよい。
【００１４】
上記第４の構成の放送受信機において、前記リスト作成部は、前記スキャンの際に既に前記リストにある前記第１デジタル放送局に対応する周波数に受信可能な前記第２デジタル放送局が存在する場合であっても、前記第１デジタル放送局の放送局情報を取得した時点からの経過時間が第２所定時間を超えていれば、前記取得を省略せず、前記第１所定時間と前記第２所定時間とは互いに異なる構成（第６の構成）であってもよい。
【００１５】
本発明の放送局リスト更新方法は、所定の周波数帯域内をスキャンして受信可能な放送局をサーチするサーチ工程と、前記受信可能な放送局のリストを作成するリスト作成工程と、を備え、前記リスト作成工程は、前記スキャンの際に既に前記リストにある第１デジタル放送局に対応する周波数に受信可能な第２デジタル放送局が存在する場合には、前記第２デジタル放送局の放送局情報の取得を省略して、前記リストにある前記第１デジタル放送局の放送局情報を継続して採用する構成（第７の構成）である。
【発明の効果】
【００１６】
本発明の放送局リスト更新技術によると、サーチ時間の短縮と受信不可能な放送局の削除とを両立できる。
【図面の簡単な説明】
【００１７】
【図１】放送受信機の構成例を示すブロック図
【図２】放送局リストを作成する際に実行される判定処理の一例を示すフローチャート
【図３】放送局リストを作成する際に実行される判定処理の他の例を示すフローチャート
【図４】選局動作の一例を示すフローチャート
【発明を実施するための形態】
【００１８】
以下、本発明の例示的な実施形態について、図面を参照しながら詳細に説明する。
【００１９】
＜１．放送受信機の構成＞
図１は、放送受信機１００の構成例を示すブロック図である。放送受信機１００は、同一の放送内容をデジタル放送とアナログ放送とで同時に放送するＩＢＯＣ（In Band On Channel）方式の音声放送を受信する受信機である。アンテナ２００は、放送局からの送信電波を受けて、その送信電波を放送信号に変換して放送受信機１００に送出する。
【００２０】
放送受信機１００は、チューナ１、バンドパスフィルタ２、可変利得アンプ３、バンドパスフィルタ４、Ａ／Ｄコンバータ５、Ａ／Ｄコンバータ６、デジタル復調部７、及びアナログ復調部８を備える。
【００２１】
チューナ１は、後述する制御部１３からの指示に従って、アンテナ２００からの放送信号を中間周波信号（ＩＦ信号）に変換する。チューナ１は、ＩＦ信号をバンドパスフィルタ２に送出する。
【００２２】
バンドパスフィルタ２は、アナログ放送及びデジタル放送で使用されている中間周波数成分以外の周波数成分をＩＦ信号から除去する。
【００２３】
可変利得アンプ３は、バンドパスフィルタ２から送出されるＩＦ信号を増幅する。可変利得アンプ３の利得は、復調部（デジタル復調部７及びアナログ復調部８）から送出されるＡＧＣ（Automatic Gain Control）信号に応じて可変する。
【００２４】
バンドパスフィルタ４は、アナログ放送で使用されている中間周波数成分以外の周波数成分をＩＦ信号から除去する。
【００２５】
Ａ／Ｄコンバータ５は、可変利得アンプ３から送出されるアナログ信号であるデジタル放送波のＩＦ信号を、デジタル信号であるデジタル放送波のＩＦ信号に変換する。
【００２６】
Ａ／Ｄコンバータ６は、バンドパスフィルタ４から送出されるアナログ信号であるアナログ放送波のＩＦ信号を、デジタル信号であるアナログ放送波のＩＦ信号に変換する。
【００２７】
デジタル復調部７は、Ａ／Ｄコンバータ５から送出されるデジタル放送波のＩＦ信号に対してデジタル放送波の復調及びデコード処理を実行する。一方、アナログ復調部８は、Ａ／Ｄコンバータ６から送出されるアナログ放送波のＩＦ信号に対してアナログ放送波の復調を実行する。復調部（デジタル復調部７及びアナログ復調部８）は、デジタル放送波が検出されている場合にはデジタル放送波の受信強度に基づきＡＧＣ信号を生成し、デジタル放送波が検出されていない場合にはアナログ放送波の受信強度に基づきＡＧＣ信号を生成する。
【００２８】
放送受信機１００は、ブレンド部９、オーディオ処理部１０、Ｄ／Ａコンバータ１１、スピーカ１２、制御部１３、記憶部１４、操作部１５、及び表示部１６をさらに備える。
【００２９】
ブレンド部９は、デジタル復調部７から送出される復調後のデジタル放送音声信号とアナログ復調部８から送出される復調後のアナログ放送音声信号とを任意の混合比で混合（ブレンド）する。
【００３０】
オーディオ処理部１０は、ブレンド部９から送出される混合後の音声信号の音響特性を変更する。
【００３１】
Ｄ／Ａコンバータ１１は、オーディオ処理部１０から送出されるデジタル音声信号をアナログ音声信号に変換し、アナログ音声信号をスピーカ１２に出力する。
【００３２】
スピーカ１２は、アナログ音声信号に応じた音声を出力する。
【００３３】
制御部１３は、例えばＭＰＵ（Micro Processing Unit）で構成され、記憶部１４に不揮発的に記憶されている制御プログラムを実行して、放送受信機１００全体を制御する。制御部１３は、ソフトウェア的に実現される機能として、サーチ部１３ａ及びリスト作成部１３ｂを備えている。サーチ部１３ａは、チューナ１を制御することで所定の周波数帯域（例えば、８８〜１０８ＭＨｚのＦＭ周波数帯域及び５３０〜１７１０ｋＨｚのＡＭ周波数帯域）内をスキャンして受信可能な放送局をサーチする。リスト作成部１３ｂは、受信可能な放送局のリストを作成し、作成した放送局リストを記憶部１４に記憶させる。なお、リスト作成部１３ｂが放送局リストを２回以上作成する場合には、２回目以降の放送局リストの作成は放送局リストを更新していることになる。
【００３４】
記憶部１４は、例えばＲＯＭ（Read Only Memory）等の不揮発性メモリ及びＲＡＭ（Random Access Memory）等のワークメモリで構成される。
【００３５】
操作部１５は、例えば、釦、タッチパネル、音声入力装置等で構成され、ユーザによる操作入力を受け付け、受け付けた操作入力の内容を制御部１３に出力する。
【００３６】
表示部１６は、例えば液晶表示装置で構成され、リスト作成部１３ｂによって作成された放送局リスト等を表示する。
【００３７】
＜２．放送受信機の動作＞
図２は、放送局リストを作成する際に実行される判定処理の一例を示すフローチャートである。放送受信機１００は、サーチ部１３ａによってスキャンされる各周波数（離散値）で図２に示す判定処理を実行する。
【００３８】
まず制御部１３は、復調部（デジタル復調部７及びアナログ復調部８）に対して「受信強度チェック」のコマンドを発令する（ステップＳ１０）。復調部（デジタル復調部７及びアナログ復調部８）は、「受信強度チェック」のコマンドに従って、デジタル放送波が検出されている場合にはデジタル放送波の受信強度に関する情報を制御部１３に送り、デジタル放送波が検出されていない場合にはアナログ放送波の受信強度に関する情報を制御部１３に送る。
【００３９】
次に制御部１３は、復調部（デジタル復調部７及びアナログ復調部８）から取得した受信強度に関する情報を利用して、サーチ部１３ａによって保持されている周波数に受信可能な放送局が有るか否かを判定する（ステップＳ２０）。
【００４０】
具体的には、受信強度が所定レベル未満であれば、制御部１３は、サーチ部１３ａによって保持されている周波数に受信可能な放送局が無いと判定し（ステップＳ２０のＮＯ）、放送局の情報を放送局リストに加えることなく図２に示すフロー動作を終了する。なお、サーチ部１３ａによって保持されている周波数に対応するデジタル放送局が既に放送局リストに有る場合には、リスト作成部１３ｂは、サーチ部１３ａによって保持されている周波数に対応するデジタル放送局を放送局リストから削除する。この削除処理により、受信不可能なデジタル放送局が放送局リストに残ってしまうという問題が放送局リストを更新する際に解消される。
【００４１】
一方、受信強度が所定レベル以上であれば、制御部１３は、サーチ部１３ａによって保持されている周波数に受信可能な放送局が有ると判定し（ステップＳ２０のＹＥＳ）、ステップＳ３０に移行する。
【００４２】
ステップＳ３０において、制御部１３は、デジタル復調部７に対して「デジタル放送局判定」のコマンドを発令する。デジタル復調部７は、「デジタル放送局判定」のコマンドに従って、デジタル放送波の検出有無に関する情報を制御部１３に送る。
【００４３】
次に制御部１３は、デジタル復調部７から取得したデジタル放送波の検出有無に関する情報を利用して、サーチ部１３ａによって保持されている周波数に受信可能なデジタル放送局が有るか否かを判定する（ステップＳ４０）。
【００４４】
具体的には、デジタル放送波が検出されていなければ、制御部１３は、サーチ部１３ａによって保持されている周波数に受信可能なデジタル放送局が無いと判定し（ステップＳ４０のＮＯ）、サーチ部１３ａによって保持されている周波数に対応するアナログ放送局の情報を放送局リストに加えて図２に示すフロー動作を終了する。なお、サーチ部１３ａによって保持されている周波数に対応するデジタル放送局が既に放送局リストに有る場合には、リスト作成部１３ｂは、サーチ部１３ａによって保持されている周波数に対応するデジタル放送局を放送局リストから削除する。この削除処理により、受信不可能なデジタル放送局が放送局リストに残ってしまうという問題が放送局リストを更新する際に解消される。
【００４５】
一方、デジタル放送波が検出されていれば、制御部１３は、サーチ部１３ａによって保持されている周波数に受信可能なデジタル放送局が有ると判定し（ステップＳ４０のＹＥＳ）、ステップＳ５０に移行する。
【００４６】
ステップＳ５０において、リスト作成部１３ｂは、サーチ部１３ａによって保持されている周波数に対応するデジタル放送局が既に放送局リストに有るか否かを判定する。
【００４７】
サーチ部１３ａによって保持されている周波数に対応するデジタル放送局が放送局リストに無いと判定された場合（ステップＳ５０のＮＯ）、リスト作成部１３ｂは、デジタル復調部７に対して「デジタル放送局情報取得」のコマンドを発令する（ステップＳ９０）。デジタル復調部７は、「デジタル放送局情報取得」のコマンドに従って、デコード処理を完遂し、サーチ部１３ａによって保持されている周波数に対応するデジタル放送局の放送局情報全てを制御部１３に送る。
【００４８】
ただし、受信環境が悪い場合には、デコード処理を完遂してもデジタル復調部７は放送局情報を取得できないことがある。したがって、ステップＳ９０に続くステップＳ１００において、リスト作成部１３ｂは、サーチ部１３ａによって保持されている周波数に対応するデジタル放送局の放送局情報を取得できたか否かを判定する。
【００４９】
サーチ部１３ａによって保持されている周波数に対応するデジタル放送局の放送局情報を取得できたと判定された場合（ステップＳ１００のＹＥＳ）、リスト作成部１３ｂは、サーチ部１３ａによって保持されている周波数に対応するデジタル放送局の既に放送局リストにある放送局情報を破棄して、新たに取得した放送局情報を放送局リストに反映させる。一方、サーチ部１３ａによって保持されている周波数に対応するデジタル放送局の放送局情報を取得できなかったと判定された場合（ステップＳ１００のＮＯ）、サーチ部１３ａによって保持されている周波数に対応するアナログ放送局の情報を放送局リストに加えて図２に示すフロー動作を終了する。
【００５０】
ステップＳ５０の判定処理において、サーチ部１３ａによって保持されている周波数に対応するデジタル放送局が放送局リストに有ると判定された場合（ステップＳ５０のＮＯ）、ステップＳ６０に移行する。
【００５１】
ステップＳ６０に移行した場合、ステップＳ６０の判定処理の結果及びステップＳ８０の判定処理の結果が所定の条件を満たせば、リスト作成部１３ｂは、ステップＳ９０の処理を実行せず、サーチ部１３ａによって保持されている周波数に対応するデジタル放送局の既に放送局リストにある放送局情報を継続して採用する。これにより、デコード処理に必要な時間を減らすことができるので、サーチ時間を短縮することができる。
【００５２】
具体的には、ステップＳ６０において、リスト作成部１３ｂは、サーチ部１３ａによって保持されている周波数に対応するデジタル放送局の既に放送局リストにある放送局情報を取得した時点からの経過時間ＥＴ１が所定時間Ｔ１を超えているか否かを判定する。なお、所定時間Ｔ１は請求項に記載の「第２所定時間」に相当する。
【００５３】
経過時間ＥＴ１が所定時間Ｔ１を超えていると判定された場合（ステップＳ６０のＹＥＳ）、ステップＳ９０に移行する。これにより、デジタル放送局が放送局情報を変更した場合に、古い放送局情報が放送局リストに残ってしまうという問題が、経過時間ＥＴ１が所定時間Ｔ１を超えてから放送局リストを更新する際に解消される。
【００５４】
一方、経過時間ＥＴ１が所定時間Ｔ１を超えていないと判定された場合（ステップＳ６０のＮＯ）、リスト作成部１３ｂは、デジタル復調部７に対して「放送局ＩＤ取得」のコマンドを発令する（ステップＳ７０）。デジタル復調部７は、「放送局ＩＤ取得」のコマンドに従って、放送局ＩＤを取得するために必要なデコード処理を実行し、放送局ＩＤに関する情報を制御部１３に送る。
【００５５】
ステップＳ７０に続くステップＳ８０において、リスト作成部１３ｂは、サーチ部１３ａによって保持されている周波数に対応するデジタル放送局に関して、既に放送局リストにある放送局ＩＤと新たに取得した放送局ＩＤとが一致するか否かを判定する。
【００５６】
既に放送局リストにある放送局ＩＤと新たに取得した放送局ＩＤとが一致していないと判定された場合（ステップＳ８０のＮＯ）、ステップＳ９０に移行する。これにより、放送局リストにあるデジタル放送局と同じ周波数に対応する別のデジタル放送局の受信可能エリアに放送受信機１００が移動した場合に、放送局リストにあるデジタル放送局とは別のデジタル放送局を受信してしまうという問題が、放送局リストを更新する際に解消される。
【００５７】
既に放送局リストにある放送局ＩＤと新たに取得した放送局ＩＤとが一致していると判定された場合（ステップＳ８０のＹＥＳ）、リスト作成部１３ｂは、ステップＳ９０の処理を実行せず、サーチ部１３ａによって保持されている周波数に対応するデジタル放送局の既に放送局リストにある放送局情報を継続して採用する。
【００５８】
放送受信機１００は、上述した通り、サーチ部１３ａによってスキャンされる各周波数（離散値）で図２に示す判定処理を実行する。すなわち、放送受信機１００は、特許文献１で開示されているデジタル放送受信機とは異なり、放送局リストを更新する際に、既に放送局リストにあるデジタル放送局に対応する周波数をスキップしない。このため、放送受信機１００では、放送局リストを更新する際に、受信不可能なデジタル放送局を放送局リストから削除することが可能である。
【００５９】
放送受信機１００は、サーチ部１３ａによってスキャンされる各周波数（離散値）で図２に示す判定処理の代わりに例えば図３に示す判定処理を実行してもよい。
【００６０】
図３に示す判定処理は、図２に示す判定処理にステップＳ６１の処理が追加されている。ステップＳ６１の処理は、ステップＳ６０の処理とステップＳ７０の処理との間に設けられる。
【００６１】
図３に示す判定処理では、経過時間ＥＴ１が所定時間Ｔ１を超えていないと判定された場合（ステップＳ６０のＮＯ）、リスト作成部１３ｂは、サーチ部１３ａによって保持されている周波数に対応するデジタル放送局の放送局情報を取得した時点からの経過時間ＥＴ２が所定時間Ｔ２を超えているか否かを判定する（ステップＳ６１）。なお、所定時間Ｔ２は請求項に記載の「第１所定時間」に相当する。
【００６２】
経過時間ＥＴ２が所定時間Ｔ２を超えていると判定された場合（ステップＳ６１のＹＥＳ）、ステップＳ７０に移行する。
【００６３】
一方、経過時間ＥＴ２が所定時間Ｔ２を超えていないと判定された場合（ステップＳ６１のＮＯ）、リスト作成部１３ｂは、ステップＳ７０及びＳ８０の処理を実行せず、サーチ部１３ａによって保持されている周波数に対応するデジタル放送局の既に放送局リストにある放送局情報を継続して採用する。これにより、放送局リストにあるデジタル放送局と同じ周波数に対応する別のデジタル放送局の受信可能エリアに放送受信機１００が移動している可能性が低い場合に、ステップＳ７０及びＳ８０の処理を省略することができる。
【００６４】
なお、リスト作成部１３ｂは、所定時間Ｔ１と所定時間Ｔ２とを互いに異なる値に設定していることが望ましい。所定時間Ｔ１と所定時間Ｔ２とを互いに異なる値に設定することにより、デジタル放送局が放送局情報を変更した場合に、古い放送局情報が放送局リストに残ってしまうという問題の解消に関連する所定時間（所定時間Ｔ１）と、放送局リストにあるデジタル放送局とは別のデジタル放送局を受信してしまうという問題の解消に関連する所定時間（所定時間Ｔ２）とを別々に最適化することが可能となる。
【００６５】
放送受信機１００は、操作部１５が受け付けた操作入力に基づき選局動作を行う場合、図４に示すフローチャートのような選局動作を実行するようにしてもよい。
【００６６】
図４に示すフローチャートでは、まず制御部１３は、チューナ１を制御して、操作部１５が受け付けた操作入力によって指定された周波数にチューナ１を同調させる（ステップＳ２１０）。
【００６７】
次に制御部１３は、デジタル復調部７に対して「デジタル放送局情報取得」のコマンドを発令する（ステップＳ２２０）。デジタル復調部７は、「デジタル放送局情報取得」のコマンドに従って、デコード処理を完遂し、操作部１５が受け付けた操作入力によって指定された周波数に対応するデジタル放送局の放送局情報全てを制御部１３に送る。
【００６８】
ただし、受信環境が悪い場合には、デコード処理を完遂してもデジタル復調部７は放送局情報を取得できないことがある。したがって、ステップＳ２２０に続くステップＳ２３００において、制御部１３は、操作部１５が受け付けた操作入力によって指定された周波数に対応するデジタル放送局の放送局情報を取得できたか否かを判定する。
【００６９】
操作部１５が受け付けた操作入力によって指定された周波数に対応するデジタル放送局の放送局情報を取得できなかったと判定された場合（ステップＳ２３０のＮＯ）、放送受信機１００は選局動作を終了する。
【００７０】
一方、操作部１５が受け付けた操作入力によって指定された周波数に対応するデジタル放送局の放送局情報を取得できたと判定された場合（ステップＳ２３０のＹＥＳ）、制御部１３は、操作部１５が受け付けた操作入力によって指定された周波数に対応するデジタル放送局が既に放送局リストに有るか否かを判定する（ステップＳ２４０）。
【００７１】
操作部１５が受け付けた操作入力によって指定された周波数に対応するデジタル放送局が放送局リストに無いと判定された場合（ステップＳ２４０のＮＯ）、放送受信機１００は選局動作を終了する。
【００７２】
一方、操作部１５が受け付けた操作入力によって指定された周波数に対応するデジタル放送局が放送局リストに有ると判定された場合（ステップＳ２４０のＹＥＳ）、制御部１３は、操作部１５が受け付けた操作入力によって指定された周波数に対応するデジタル放送局の既に放送局リストにある放送局情報を破棄して、ステップＳ２２０でのコマンドの発令によって新たに取得した放送局情報を放送局リストに反映させる（ステップＳ２５０）。そして、放送受信機１００は選局動作を終了する。
【００７３】
図４に示すフローチャートのような選局動作を実行することで、放送局リストの作成時以外でも、操作部１５が受け付けた操作入力によって指定された周波数に対応するデジタル放送局の既に放送局リストにある放送局情報を更新することができる。したがって、デジタル放送局が放送局情報を変更した場合に、古い放送局情報が放送局リストに残ってしまうという問題の解消を促進することができる。
【００７４】
＜３．変形例等＞
本明細書中に開示されている種々の技術的特徴は、上記実施形態のほか、その技術的創作の主旨を逸脱しない範囲で種々の変更を加えることが可能である。また、本明細書中に示される複数の変形例は可能な範囲で組み合わせて実施されてよい。
【００７５】
以上に示した実施形態では、放送受信機１００はラジオ放送を受信する放送受信機であったが、本発明はラジオ放送以外の放送（例えばテレビジョン放送）を受信する放送受信機にも適用することが可能である。
【００７６】
また、以上に示した実施形態では、放送受信機１００はデジタル放送とアナログ放送を受信する放送受信機であったが、本発明はデジタル放送のみを受信する放送受信機にも適用することが可能である。
【符号の説明】
【００７７】
１３ａ  サーチ部
１３ｂ  リスト作成部
１００  放送受信機
【図１】
2020021975.tif 000003
【図２】
2020021975.tif 000004
【図３】
2020021975.tif 000005
【図４】
2020021975.tif 000006